(57)【要約】【課題】構造の簡単化および取り扱いの容易化を図る。【解決手段】複数のパチンコ機を荷台２５に載せる場合、遊技機枠１の下横片７が荷台２５の側となるように、かつ、複数のパチンコ機の前側が同じ方向に向くように、複数のパチンコ機が互いに接触しないように離された縦置き状態で荷台２５に整列されて配置された後、当板１３が遊技機枠１の上側から遊技機枠１に被せられ、板側係合部材１４が固定枠２の側に向けて枠側係合部材１１の上に重ね合わされ、当板１３が上から下に押圧されると、枠側係合部材１１のファスナ掛止子と板側係合部材１４のファスナ掛止子とが互いに絡み合うように係合し、複数の遊技機枠１が互いに倒れないように遊技機保持装置で連結される。【選択図】図２
2007054099.tif 000002
【特許請求の範囲】
【請求項１】
複数の遊技機枠を貨物自動車で運搬するために、複数の遊技機枠を互いに当板で連結し固定する遊技機固定装置であって、四角形に形成された遊技機枠の横片または縦片に枠側係合部材を設け、当板には板側係合部材が設けられ、当板が貨物自動車の荷台に整列されて配置され複数の遊技機枠に対し装着される場合、枠側係合部材と板側係合部材とが互いに重ね合わされて互いに絡み合うように係合することを特徴とする遊技機保持装置。
【請求項２】
横片または縦片に板側係合部材を設置するための窪みが設けられることなく、板側係合部材が横片の外面または縦片の外面から外側に突出するように横片の外面または縦片に設けられたことを特徴とする請求項１記載の遊技機保持装置。
【請求項３】
枠側係合部材が分割されることなく一体として横片または縦片に設けられたことを特徴とする請求項１記載の遊技機保持装置。
【発明の詳細な説明】
【技術分野】
【０００１】
本発明は、構造が簡単で取り扱いが容易な遊技機保持装置に関する。
【背景技術】
【０００２】
遊技機保持装置は、遊技機製造会社から遊技店に販売される遊技機を貨物自動車で運搬する場合、複数の遊技機が荷崩れしないようにするものであって、種々の構造のものが提案されている。しかしながら、いずれも、構造が複雑で取り扱いが面倒であって、採用し難いという欠点がある。
【特許文献１】特開平７−１８５０９４号公報
【特許文献２】特開平８−１０７９７７号公報
【特許文献３】特開２００１−３４０５８６号公報
【特許文献４】特開２００２−１４３４１５号公報
【特許文献５】特開２００４−２６７４３９号公報
【発明の開示】
【発明が解決しようとする課題】
【０００３】
発明が解決しようとする問題点は、構造が複雑で取り扱いが面倒であるという点である。
【課題を解決するための手段】
【０００４】
本発明に係る遊技機保持装置は、複数の遊技機枠を貨物自動車で運搬するために、複数の遊技機枠を互いに当板で連結し固定する遊技機固定装置であって、四角形に形成された遊技機枠の横片または縦片に枠側係合部材を設け、当板には板側係合部材が設けられ、当板が貨物自動車の荷台に整列されて配置され複数の遊技機枠に対し装着される場合、枠側係合部材と板側係合部材とが互いに重ね合わされて互いに絡み合うように係合することを最も主要な特徴とする。横片または縦片に板側係合部材を設置するための窪みが設けられることなく、板側係合部材が横片の外面または縦片の外面から外側に突出するように横片の外面または縦片に設けられたり、枠側係合部材が分割されることなく一体として横片または縦片に設けられたりしてもよい。
【発明の効果】
【０００５】
本発明に係る遊技機保持装置は、横片または縦片に設けられた枠側係合部材と当板に設けられた板側係合部材とが互いに重ね合わされて互いに絡み合うように係合するので、構造が簡単で取り扱いが容易であるという利点がある。横片または縦片に板側係合部材を設置するための窪みが設けられることなく、板側係合部材が横片の外面または縦片の外面から突出するように横片の外面または縦片に設けられれば、横片または縦片の外面に枠側係合部材を設置するための窪みのような加工が不要で、枠側係合部材を横片または縦片に設ける構造が簡単であるという利点がある。枠側係合部材が分割されることなく一体として横片または縦片に設けられれば、枠側係合部材と板側係合部材との位置合わせが容易であり、複数の遊技機枠を遊技機保持装置で倒れないように連結するための取り扱いが一層容易であるという利点がある。
【発明を実施するための最良の形態】
【０００６】
図１および図２は、発明を実施するための最良の形態である。図１は、遊技機保持装置を分解して示す。図２のａ図は、複数のパチンコ機が貨物自動車の荷台２５に整列されて搭載された状態を示す。図２のｂ図は、荷台２５に搭載された複数のパチンコ機が遊技機保持装置で倒れないように連結された状態を示す。本明細書において、「前」、「後」、「裏」、「左」、「右」、「上」、「下」の方向は、図１の状態に遊技機枠１を置いて矢印Ａで示す前側から見た場合に特定される方向である。「後」と「裏」とは同じ方向である。
【０００７】
図１を参照し、遊技機保持装置について、貨物自動車で運搬される複数の遊技機としてパチンコ機を倒れないように連結する場合を例として説明する。パチンコ機の遊技機枠１は、固定枠２の前側に可動枠３を開閉可能に備え、可動枠３の前側に前扉４および皿構造体５を開閉可能に備える。固定枠２は、遊技機設置構造体に取り付けるための外枠とも呼ばれ、前後方向に貫通する方形な開口が上横片６、下横片７、左縦片８、右縦片９で囲まれ、方形な開口の下前部が幕板１０で塞がれた、釘の打ち込み不可能な材料から、額縁状に構成される。釘の打ち込み不可能な材料は、金属や硬質合成樹脂などである。金属としては、アルミニウム合金やマグネシウム合金などである。硬質合成樹脂としては、メラミンフェノールなどの熱硬化性樹脂、熱硬化性樹脂にガラスや金属などの繊維または粒あるいは粉末などの混合された配合樹脂などである。
【０００８】
複数の遊技機枠１が貨物自動車で運搬される場合、複数の遊技機枠１が倒れないように、複数の遊技機枠１を互いに連結し固定するために、固定枠２の上横片６、下横片７、左縦片８、右縦片９の少なくとも１つには、枠側係合部材１１が設けられる。図１では、枠側係合部材１１が、面ファスナにより構成され、上横片６に左右に分かれて設けられる。具体的には、枠側係合部材１１を構成する面ファスナは、ファスナ基盤からファスナ掛止子をループ状またはＪ字形に多数突出した形態であって、ファスナ掛止子が上側に向けられ、ファスナ基盤が上横片６の外面に粘着剤または接着剤などの貼付部材１２で固定される。これによって、枠側係合部材１１は、上横片６の外面から外側としての上側に突出し、上横片６の外面に固定される。複数の固定枠２を連結するための当板１３には、板側係合部材１４が設けられる。図１では、当板１３は、上横片６に対し左右に分かれ使用されるように、複数設けられる。板側係合部材１４は、面ファスナにより構成される。具体的には、板側係合部材１４を構成する面ファスナは、ファスナ基盤からファスナ掛止子をＪ字形またはループ状に多数突出した形態であって、ファスナ掛止子が下側に向けられ、ファスナ基盤が当板１３の下面に粘着剤または接着剤などの貼付部材１５で固定される。これによって、板側係合部材１４は、当板１３の下面から下側に突出し、当板１３の下面に固定される。
【０００９】
枠側係合部材１１、貼付部材１２、当板１３、板側係合部材１４、貼付部材１５が、遊技機保持装置を構成する。枠側係合部材１１を構成する面ファスナのファスナ掛止子がループ状の場合、板側係合部材１４を構成する面ファスナのファスナ掛止子はＪ字形である。枠側係合部材１１を構成する面ファスナのファスナ掛止子がＪ字形の場合、板側係合部材１４を構成する面ファスナのファスナ掛止子はループ状である。よって、枠側係合部材１１が固定枠２の上横片６に設けられ、板側係合部材１４が当板１３に設けられた状態において、板側係合部材１４が固定枠２の側に向けられて枠側係合部材１１の上に重ね合わされると、枠側係合部材１１のファスナ掛止子と板側係合部材１４のファスナ掛止子とが互いに絡み合うように係合する。
【００１０】
可動枠３は、図外の遊技盤、図外の払出機構、図外の制御装置、図外の電源装置など遊技に必要な部品を取り付ける前枠とも呼ばれる。可動枠３は、左側に位置するヒンジ１６を中心とし、固定枠２の前側で前側に開かれかつ後側に閉じられるように、片開き可能である。可動枠３の右側部には、施錠装置１７と図外の複数のロック機構および図外のロック解除操作体が設けられる。可動枠３には、図外の発射機構および図外の発射レールが、皿構造体５が閉じられた場合、皿構造体５で覆い隠される場所に設けられる。前扉４および皿構造体５は、個別に、左側に位置するヒンジ１８を中心とし、可動枠３の前側で前側に開かれかつ後側に閉じられるように、片開き可能である。前扉４は、パネル枠とも呼ばれ、窓１９および前パネル２０を備える。窓１９は、前扉４に前後方向への貫通孔として設けられる。前パネル２０は、無色の合成樹脂または無色のガラスなど、光を透過する性質の有る材料から構成され、前扉４の裏面に取り付けられ、窓１９を塞ぐ。皿構造体５は、受皿部２１および発射操作機構２２を、皿構造体５の前面から前側に突出した形態に備える。皿構造体５の裏面には、球供給口２３および球取入口２４が設けられる。
【００１１】
そして、可動枠３が閉じられて固定枠２にロック機構で開閉不能に支持され、前扉４および皿構造体５が閉じられて可動枠３にロック機構で開閉不能に支持された状態において、遊技店の店員が図外のキープレート（鍵）を遊技機枠１の前側から施錠装置１７の鍵穴に挿入し、当該キープレートを例えば右側に９０度回転操作すると、固定枠２と可動枠３とのロック機構による支持形態が解除される。この支持形態の解除後に、店員が可動枠３を前側に引くことによって、可動枠３はヒンジ１６を中心として前側に片開きされる。このように、少なくとも、前扉４が開けられ、図外の遊技盤が可動枠３の前側から内部に挿入されて取り付けられた後、可動枠３が閉じられて固定枠２に開閉不能に支持され、前扉４および皿構造体５が閉じられて可動枠３に開閉不能に支持されると、遊技盤の前面における遊技領域が遊技機枠１の前側から窓１９および前パネル２０を経由して視認可能となる。
【００１２】
次に、遊技店の従業員が電源装置の電源スイッチを投入すると、電源装置が遊技機設置構造体に設けられた島電源から供給された交流電源を直流電源に変換し、電源装置が変換した直流電源を制御装置に供給し、制御装置が起動する。その状態において、遊技者が受皿部２１に球を入れて発射操作機構２２を操作すると、制御装置が発射機構を発射操作機構２２から出力された操作量に応じた発射力で例えば１分間に１から１００発未満までの所定数の間隔で駆動し、発射機構が球供給口２３から発射レールに供給された球を１個ずつ遊技盤の遊技領域に向けて発射する。この発射された球が、遊技領域を流下する過程において、遊技盤の遊技領域における複数の入賞部品のいずれかに入賞すると、それぞれの入賞に対応する賞球としての球が、払出機構から球取入口２４を経由して受皿部２１に排出される。
【００１３】
また、上記施錠装置１７の鍵穴に挿入されたキープレートが例えば左側に９０度回転操作されると、可動枠３と前扉４とのロック機構による支持形態が解除される。この支持形態の解除後に、店員が前扉４を前側に引くことによって、前扉４はヒンジ１８を中心として前側に片開きされる。このように、前扉４が前側に開かれた状態において、店員がロック解除操作体を操作すると、可動枠３と皿構造体５とのロック機構による支持形態が解除される。この支持形態の解除後に、店員が皿構造体５を前側に引くことによって、皿構造体５はヒンジ１８を中心として前側に片開きされる。
【００１４】
図２を参照し、複数のパチンコ機を貨物自動車の荷台２５に積み込む場合について説明する。図２のａ図に示すように、作業者が、複数のパチンコ機を荷台２５に載せる。その場合、遊技機枠１の下横片７が荷台２５の側となるように、かつ、複数のパチンコ機の前側が同じ方向に向くように、複数のパチンコ機が互いに接触しないように離された縦置き状態で荷台２５に整列されて配置される。荷台２５に載せられるパチンコ機は、固定枠２、可動枠３、前扉４、皿構造体５、図外の遊技盤、枠側係合部材１１を備え、技機製造会社から遊技店に販売される製品である。
【００１５】
次に、図２のｂ図に示すように、当板１３は、複数のパチンコ機に差し渡される長さの帯板状の木材からなり、その下面に枠側係合部材１１を備える。そして、作業者が当板１３を持ち上げ、板側係合部材１４が固定枠２の側に向けて枠側係合部材１１の上に重ね合わされ、当板１３が上から下に押圧されると、枠側係合部材１１のファスナ掛止子と板側係合部材１４のファスナ掛止子とが互いに絡み合うように係合する。これによって、複数の遊技機枠１が互いに倒れないように遊技機保持装置で連結される。そして、１台のパチンコ機または当板１３が貨物自動車の荷台２５に図外の連結具で固定されれば、パチンコ機の荷崩れが適切に阻止される。
【００１６】
遊技機保持装置で連結された複数のパチンコ機を運搬した貨物自動車が荷降ろし先に到着し、複数のパチンコ機が荷台２５から荷降ろしされる場合、作業者が当板１３を左右方向の一方向である矢印方向に回転させるように操作する。これによって、当板１３が当板１３の右縁部を中心として矢印方向に回転するのに伴い、枠側係合部材１１のファスナ掛止子と板側係合部材１４のファスナ掛止子との係合が解除され、当板１３が遊技機枠１から取り外されて荷台２５の上に置かれ、複数のパチンコ機が荷台２５から荷降ろしされる。
【００１７】
最良の形態では、上横片６に設けられた枠側係合部材１１と当板１３に設けられた板側係合部材１４とが互い重ね合わされて互いに絡み合うように係合するので、構造が簡単で取り扱いが容易であるという利点がある。枠側係合部材１１が上横片６の上面としての外面から上側に突出し上横片６の外面に貼付部材１２で固定されているので、上横片６の外面に枠側係合部材１１を設置するための窪みのような加工が不要で、枠側係合部材１１を上横片６に設ける構造が簡単であるという利点がある。板側係合部材１４が当板１３の下面から下側に突出し当板１３の下面に貼付部材１５で固定されているので、当板１３の下面に板側係合部材１４を設置するための窪みのような加工が不要で、板側係合部材１４を当板１３に設ける構造が簡単であるという利点がある。板側係合部材１４が当板１３の下面に対し全面的に設けられているので、複数のパチンコ機が荷台２５に整列されて搭載された後、板側係合部材１４が遊技機枠１の側に向けられて枠側係合部材１１の上に搭載されれば、枠側係合部材１１のファスナ掛止子と板側係合部材１４のファスナ掛止子とが互いに係合する。このため、複数のパチンコ機を遊技機保持装置で倒れないように連結するための取り扱いが容易であるという利点がある。作業者が、複数のパチンコ機を荷台２５から荷降ろしするために、当板１３を左右方向の一方向である図２のｂ図の矢印方向に回転するのに伴い、枠側係合部材１１のファスナ掛止子と板側係合部材１４のファスナ掛止子との係合が解除されるので、当板１３を複数のパチンコ機から取り外すための取り扱いが容易であるという利点がある。
【００１８】
パチンコ機が遊技店の遊技機設置構造体に設置される場合、枠側係合部材１１を上横片６から取り外さなくても、取り外してもよい。貼付部材１２としては、ポストイットに使用されるような、上横片６の外面と平行な横方向の力には剥がれ難いが、上横片６の外面と直交する縦方向の力には剥がれ易い物性を有する接着剤を使用すれば、パチンコ機を遊技機設置構造体に設置する場合、枠側係合部材１１を固定枠２から容易に取り外すことができる。そして、枠側係合部材１１の取り外された固定枠２が遊技機設置構造体に固定されることによって、上横片６と遊技機設置構造体との間に、枠側係合部材１１による隙間が形成されないようにすることができる。
【産業上の利用可能性】
【００１９】
図１に示すように、上横片６には、上下方向への貫通孔としての取付孔２６が、枠側係合部材１１で覆い隠される位置に設けられることによって、パチンコ機が遊技機設置構造体に設置される場合、釘が上横片６の下側から取付孔２６を経由して遊技機設置構造体に打ち付けられ、上横片６を遊技機設置構造体に固定するようにしてもよい。この場合、上横片６が枠側係合部材１１を取り付けたまま遊技機設置構造体に釘で取り付ければ、釘が上横片６の下側から取付孔２６を経由して枠側係合部材１１に食い込ませられることによって、枠側係合部材１１が釘を落下しないように支持するので、固定枠２を遊技機設置構造体に位置決めして取付ける作業が容易にできるという利点がある。図示は省略したが、下横片７にも上下方向への貫通孔としての取付孔を設け、パチンコ機が遊技機設置構造体に設置される場合、釘で下横片７を遊技機設置構造体に固定するようにしてもよい。
【００２０】
図２において、図示は省略するが、左縦片８の左面としての外面または右縦片９の右面としての外面の一方または両方に枠側係合部材１１を貼付部材１２で固定し、当板１３の貼付部材１５で固定された板側係合部材１４を枠側係合部材１１に押し付けることによって、枠側係合部材１１と板側係合部材１４とを互いに絡み合うように係合させてもよい。この場合、左縦片８の外面または右縦片９の外面に枠側係合部材１１を設置するための窪みを設けることなく、枠側係合部材１１が左縦片８の外面から外側としての左側または右縦片９の外面から外側としての右側に突出するように設けられれば、左縦片８の外面または右縦片９の外面に枠側係合部材１１を設置するための窪みのような加工が不要で、枠側係合部材１１を左縦片８または右縦片９に設ける構造が簡単であるという利点がある。
【００２１】
図３は、異なる第１の形態を示し、枠側係合部材１１が左右に分割されることなく一体として上横片６の外面に貼付部材１２で固定される。これによって、複数のパチンコ機が荷台２５に整列されて搭載された後、枠側係合部材１１のファスナ掛止子と板側係合部材１４のファスナ掛止子とを互いに係合する場合、図１のように複数の枠側係合部材１１が分離配置された構造よりも、枠側係合部材１１と板側係合部材１４との位置合わせが容易であるため、複数のパチンコ機を遊技機保持装置で倒れないように連結するための取り扱いが一層容易であるという利点がある。枠側係合部材１１が上横片６の外面に対し左右方向で全面的に設けられれば、枠側係合部材１１を固定枠２に固定したまま、パチンコ機を遊技機設置構造体に設置しても、枠側係合部材１１が上横片６と遊技機設置構造体との間に介在し、上横片６と遊技機設置構造体との間に隙間が形成されないという利点がある。
【００２２】
図４は、異なる第２の形態を示す。図４のａ図に示すように、凹部２７が上横片６に上横片６の外面から内部への窪みとして形成され、凹部２７の外面に枠側係合部材１１が貼付部材１２で固定される。図４のｂ図に示すように、板側係合部材１４が固定枠２の側に向けて枠側係合部材１１の上に重ね合わされ、当板１３が上から下に人によって押圧されると、枠側係合部材１１のファスナ掛止子と板側係合部材１４のファスナ掛止子とが互いに絡み合うように係合する。このように凹部２７が上横片６に設けられた場合、図１のように枠側係合部材１１が上横片６の外面に設けられた構造に比べ、図４のａ図のように枠側係合部材１１における上横片６の外面から上側に突出する寸法が減少するので、枠側係合部材１１を固定枠２に固定したまま、パチンコ機を遊技機設置構造体に設置しても、上横片６と遊技機設置構造体との間に枠側係合部材１１によって形成される隙間の上下方向の寸法を小さくすることができるという利点がある。上記のように枠側係合部材１１における上横片６の外面から上側に突出する寸法が減少することによって、図４のｂ図に示すように、枠側係合部材１１と板側係合部材１４とが係合された場合、上横片６に凹部２７を形成しない構造に比べ、当板１３の下面と上横片６の上面との間の間隔Ｓが小さくなる。このように間隔Ｓが小さくなると、図４のｃ図に示すように、固定枠２が下端を荷台２５に対する支点として前後方向に揺れても、固定枠２の前後方向の傾斜が少なくなり、固定枠２の荷崩れが防げるという利点がある。図４のｃ図において、Ｇは、遊技機枠１の重心を示す。重心Ｇから下方に延びる矢印、遊技機枠１の荷重を示す。
【００２３】
図５は、異なる第３の形態を示す。図５のａ図に示すように、枠側係合部材１１が貼付部材１２でクリップ２８に固定される。クリップ２８は、相対峙する一対の弾性支持片２９；３０の上部が連結片３１で互いに接続され、弾性支持片２９；３０の下部にフック３２；３３を備える。フック３２は、弾性支持片２９から弾性支持片３０の側である内側に突出する。フック３３は、弾性支持片３０から弾性支持片２９の側である内側に突出する。図５のｂ図に示すように、クリップ２８が上横片６の上方から上横片６に装着される。その場合、フック３２；３３が上横片６の側に向けられ、弾性支持片２９；３０が前後方向に配置され、クリップ２８が上横片６に向けて下降されるのに伴い、フック３２が上横片６の前面に接触し、フック３３が上横片６の後面に接触する。その状態のまま、クリップ２８がさらに下降されるのに伴い、弾性支持片２９が連結片３１に接続された部分を作用点として前側に全体的に撓み、弾性支持片３０が連結片３１に接続された部分を作用点として後側に全体的に撓み、弾性支持片２９；３０の相対峙する間隔が広がる。そして、フック３２；３３が上横片６を下側に越えると、上記弾性支持片２９；３０の弾性変形が復元し、弾性支持片２９；３０の相対峙する間隔が狭くなり、フック３２；３３の係合面３２ａ；３３ａが上横片６の下面と対向し、クリップ２８が上横片６に装着される。したがって、パチンコ機を遊技機設置構造体に設置する場合、クリップ２８を上横片６から取り外すことによって、上横片６と遊技機設置構造体との間に、枠側係合部材１１による隙間が形成されないようにすることができる。図５のｃ図に示すように、上横片６に弾性支持片２９；３０の逃避部３４；３５を設けてもよい。逃避部３４は、弾性支持片２９を逃げる部分であって、上横片６の上下方向および前側に開口し、上横片６の前面から内部への窪みとして、上横片６に形成される。逃避部３５は、弾性支持片３０を逃げる部分であって、上横片６の上下方向および後側に開口し、上横片６の後面から内部への窪みとして、上横片６に形成される。
【００２４】
図６は、異なる第４の形態および第５の形態を示す。第４の形態は、図６のａ図に示すように、凹部２７が上横片６に設けられ、凹部２７には複数の針により構成された枠側係合部材１１が設けられる。針として構成された枠側係合部材１１は、凹部２７の底面２７ａから上側に行くに従って外形が細くなる錐形である。当板１３の下面には、軟質合成樹脂またはゴムなどからなる弾性を有する板状の板側係合部材１４が貼付部材１５で固定される。そして、図６のｂ図に示すように、板側係合部材１４が上横片６の側に向けられて凹部２７に嵌め込まれることによって、枠側係合部材１１が板側係合部材１４の下面から内部に差し込まれ、枠側係合部材１１と板側係合部材１４とが互いに絡み合うように係合する。図６のｃ図に示すように、パチンコ機を遊技機設置構造体に設置する場合、図６のｂ図の板側係合部材１４を取り外した跡に、軟質合成樹脂またはゴムなどからなる板状の詰物３６を装着すれば、上横片６と遊技機設置構造体との間に、隙間が形成されないようにすることができる。第５の形態は、図６のｄ図に示す構造である。つまり、凹部２７が上横片６に設けられ、凹部２７には軟質合成樹脂またはゴムなどからなる弾性を有する板状の枠側係合部材１１が貼付部材１２で固定され、凹部３７が枠側係合部材１１によって上面から下側に窪み上側および前後方向に開口した溝として形成される。そして、当板１３が上側から凹部３７に押し込まれと、枠側係合部材１１の左右に相対峙する側壁部が当板１３と凹部２７との間に圧縮され、上横片６と当板１３とが互いに枠側係合部材１１を介して結合される。
【図面の簡単な説明】
【００２５】
【図１】遊技機保持装置の分解斜視図（最良の形態）。
【図２】ａ図は複数のパチンコ機の荷台への搭載形態の斜視図、ｂ図は荷台に搭載された複数のパチンコ機の遊技機保持装置による連結形態の斜視図（最良の形態）
【図３】遊技機保持装置の分解斜視図（第１の形態）。
【図４】ａ図は遊技機保持装置の分解正面図、ｂ図は遊技機保持装置の組立正面図（第２の形態）。
【図５】ａ図は枠側係合部材を備えたクリップの斜視図、ｂ図は枠側係合部材をクリップで上横片に固定した側面図的な断面図、ｃ図はクリップの弾性支持片の逃避部を設けた上横片の斜視図（第３の形態）。
【図６】ａ図は枠側係合部材を備えた上横片の斜視図（第４の形態）、ｂ図は枠側係合部材および枠側係合部材を互いに係合して上横片および当板を互いに結合した正面的な断面図（第４の形態）、ｃ図は枠側係合部材に詰物を装着した上横片の正面的な断面図（第４の形態）、ｄ図は上横片および当板が互いに枠側係合部材係合を介して結合した正面図（第５の形態）。
【符号の説明】
【００２６】
１    遊技機枠
２    固定枠
６    上横片
７    下横片
８    左縦片
９    右縦片
１１  枠側係合部材
１４  板側係合部材
【図１】
2007054099.tif 000003
【図２】
2007054099.tif 000004
【図３】
2007054099.tif 000005
【図４】
2007054099.tif 000006
【図５】
2007054099.tif 000007
【図６】
2007054099.tif 000008